(57)【要約】      （修正有）【課題】年少者でも安全かつ容易に操作できる手動の鉛筆削り器を提供する。【解決手段】鉛筆挿入孔１１２を備えたケース１１０と、ケース１１０に回転駆動可能に配置され、鉛筆を切削する正方向、および正方向とは反対の逆方向に回転可能な操作ハンドル１２０と、操作ハンドル１２０の正方向に回転により回転切削刃１５１を前記鉛筆の先端の周囲を自転させながら公転させ、前記鉛筆挿入孔から挿入された鉛筆の先端を切削する切削部１５０と、を備えた鉛筆削り器において、操作ハンドル１２０を正方向に回転させたとき鉛筆を回転切削刃に向けて送る一方、逆方向に回転したとき鉛筆を鉛筆挿入孔に向けて送る鉛筆送り機構１３０と、駒部材１７１の位置を調整つまみ部材１８０のカム筒で調整して、鉛筆の芯の切削長さを調整するとともに、調整つまみ部材１８０を押すことによって駒部材１７１をさらに移動させ折れ芯Ｌを排出する芯調整機構１７０とを備える。【選択図】図１
0003180992.tif 000002
【実用新案登録請求の範囲】
【請求項１】
鉛筆挿入孔を備えたケースと、
前記ケースに回転駆動可能に配置され、切削を行う正方向、および前記正方向とは反対の逆方向に回転可能な操作ハンドルと、
前記鉛筆挿入孔から挿入された鉛筆の先端周囲に配置された回転切削刃と、
前記操作ハンドルの前記正方向への回転で前記回転切削刃を前記鉛筆の先端の周囲を自転させながら公転させ、前記鉛筆挿入孔から挿入された前記鉛筆の先端を切削する切削機構と、
を備えた鉛筆削り器において、
前記ケースの内部に配置され、挿入された前記鉛筆を回転しないように固定するとともに、前記操作ハンドルの前記正方向への回転により前記鉛筆を前記回転切削刃に向けて送る一方、前記操作ハンドルの逆方向への回転により前記鉛筆挿入孔から挿入した前記鉛筆を前記鉛筆挿入孔に向けて送る鉛筆送り機構と、
前記鉛筆挿入孔から挿入された前記鉛筆の先端部に対向する位置に配置され、挿入された前記鉛筆と同軸に配置され前記鉛筆の先端の位置を定める駒部材、およびこの駒部材の配置位置を変更して、削られた前記鉛筆の芯の長さを設定する駒位置変更機構、を備えた芯長さ調整機構と、
前記駒部材を前記駒位置変更機構で移動できる位置よりも前記鉛筆挿入孔側に移動させ、折れ芯を押し出す折れ芯排出機構と、
を備えることを特徴とする鉛筆削り器。
【請求項２】
前記鉛筆送り機構は、前記操作ハンドルで回転駆動されるとともに前記鉛筆挿入孔から挿入された前記鉛筆を貫通配置できる鉛筆貫通孔を備えた円板部材、および前記鉛筆挿入孔に挿入された前記鉛筆に接触するべく、前記鉛筆挿入孔に挿入された前記鉛筆を挟んで所定距離だけ離間して平行に配置されるとともに、前記円板部材に接触する第１ローラー部材、および前記第１ローラー部材と逆方向に回転する第２ローラー部材を備えることを特徴とする請求項１に記載の鉛筆削り器。
【請求項３】
前記鉛筆送り機構の前記円板部材は、前記第１ローラー部材および前記第２ローラー部材が配置された側の端面の円周上に前記第１ローラー部材および前記第２ローラー部材側に突出する複数の突起部を備え、
前記第１ローラー部材の回転軸方向の一端部には前記円板部材の突起部に接触する第１放射状突起を備え、
前記第２ローラー部材の回転軸方向の端部のうち前記第１ローラー部材に放射状突起部を設けた側と反対側の端部には前記円板部材の突起部に接触する第２放射状突起を備えることを特徴とする請求項２に記載の鉛筆削り器。
【請求項４】
前記鉛筆送り機構の前記第１ローラー部材および前記第２ローラー部材には、前記鉛筆挿入孔に挿入された前記鉛筆の外形に沿うくぼみ部を形成したことを特徴とする請求項２または請求項３に記載の鉛筆削り器。
【請求項５】
前記芯長さ調整機構の前記駒位置変更機構は、前記操作ハンドルの回転軸に沿って配置され、回転操作できる調整つまみ部材と、前記駒部材および前記調整つまみ部材を前記操作ハンドルの回転軸方向の外側に向けて押し出す弾性部材とを備え、
前記調整つまみ部材には、前記駒部材の前記鉛筆側とは反対側の端部に接触し、前記調整つまみ部材の回転動作により前記駒部材の位置を変えるカム部を備えることを特徴とする請求項１から請求項４のいずれか一項に記載の鉛筆削り器。
【請求項６】
前記芯長さ調整機構の前記カム部は、前記駒部材の位置を、切削後の鉛筆の芯長さを最長から最短までの複数の位置に設定することを特徴とする請求項５に記載の鉛筆削り器。
【請求項７】
前記折れ芯排出機構は、前記調整つまみの内側に配置され、前記操作ハンドルの回転軸に沿って移動可能に保持する駒部材を備えて構成することを特徴とする請求項５または請求項６に記載の鉛筆削り器。
【考案の詳細な説明】
【技術分野】
【０００１】
本考案は、鉛筆削り器に係り、特に年少者でも安全かつ容易に操作できる鉛筆削り器に関する。
【背景技術】
【０００２】
従来、手動で鉛筆を切削する鉛筆削り器として、次のものが知られている。この鉛筆削り器は、ケース内に、らせん刃を備えた回転切削刃と、この回転切削刃を操作ハンドルで駆動することにより挿入された鉛筆の先端周囲で自転させながら公転させ、挿入された鉛筆の先端を円すい形に切削するものである（特許文献１、特許文献２参照）。
【特許文献１】特開平８−３００８９４公報参照
【特許文献２】実開平４−５０２９２公報参照
【考案の開示】
【考案が解決しようとする課題】
【０００３】
このような、鉛筆削り器は、小学校低学年児童等の年少者が使用することから、さまざまな安全対策を施す必要がある。すなわち、鉛筆を切削するとき、手指を挟む機構を備えないようにすることや、削った鉛筆が尖りすぎないよう芯の長さを調整できるようにすること、さらには鉛筆削り器の内部で折れた芯（折れ芯）の除去を行う際、切削刃を取り出す必要がない構成を備えることが望まれる。
【０００４】
本考案は上述した課題にかんがみてなされたものであり、年少者でも安全かつ容易に操作できる鉛筆削り器を提供することを目的とする。
【課題を解決するための手段】
【０００５】
前記課題を解決する請求項１に記載の考案は、鉛筆挿入孔を備えたケースと、前記ケースに回転駆動可能に配置され、切削を行う正方向、および前記正方向とは反対の逆方向に回転可能な操作ハンドルと、前記鉛筆挿入孔から挿入された鉛筆の先端周囲に配置された回転切削刃と、前記操作ハンドルの前記正方向への回転で前記回転切削刃を前記鉛筆の先端の周囲を自転させながら公転させ、前記鉛筆挿入孔から挿入された前記鉛筆の先端を切削する切削機構と、を備えた鉛筆削り器において、前記ケースの内部に配置され、挿入された前記鉛筆を回転しないように固定するとともに、前記操作ハンドルの前記正方向への回転により前記鉛筆を前記回転切削刃に向けて送る一方、前記操作ハンドルの逆方向への回転により前記鉛筆挿入孔から挿入した前記鉛筆を前記鉛筆挿入孔に向けて送る鉛筆送り機構と、前記鉛筆挿入孔から挿入された前記鉛筆の先端部に対向する位置に配置され、挿入された前記鉛筆と同軸に配置され前記鉛筆の先端の位置を定める駒部材、およびこの駒部材の配置位置を変更して、削られた前記鉛筆の芯の長さを設定する駒位置変更機構、を備えた芯長さ調整機構と、前記駒部材を前記駒位置変更機構で移動できる位置よりも前記鉛筆挿入孔側に移動させ、折れ芯を押し出す折れ芯排出機構と、を備えることを特徴とする鉛筆削り器である。
【０００６】
本考案によれば、ケース内に配置された鉛筆送り機構で、鉛筆を切削するに際して操作ハンドルを正方向に回転させることで鉛筆挿入孔に入れた鉛筆を回転切削刃に送ることができるので、ケースの外部に配置され手指を挟むおそれがある鉛筆送り装置を省略でき安全性を向上できる。また、本考案によれば、芯長さ調整機構で鉛筆の芯の長さと尖り状態を容易に調整できるので、必要以上に鉛筆の芯を長く尖った状態にしないことができる。さらに本考案によれば、折れ芯をワンタッチで排出できる。このため、ケースから回転切削刃等を取り出したり、ケース内の回転切削刃に手指が触れたりする機会を極力少なくすることができ、安全性を向上することができる。
【０００７】
同じく請求項２に記載の考案は、請求項１に記載の鉛筆削り器において、前記鉛筆送り機構は、前記操作ハンドルで回転駆動されるとともに前記鉛筆挿入孔から挿入された前記
鉛筆を貫通配置できる鉛筆貫通孔を備えた円板部材、および前記鉛筆挿入孔に挿入された前記鉛筆に接触するべく、前記鉛筆挿入孔に挿入された前記鉛筆を挟んで所定距離だけ離間して平行に配置されるとともに、前記円板部材に接触する第１ローラー部材、および前記第１ローラー部材と逆方向に回転する第２ローラー部材を備えることを特徴とする。
本考案によれば、操作ハンドルで回転駆動される円板部材で第１ローラーおよび第２ローラーを駆動して鉛筆を送ることができる。
【０００８】
同じく請求項３に記載の考案は、請求項２に記載の鉛筆削り器において、前記鉛筆送り機構の前記円板部材は、前記第１ローラー部材および前記第２ローラー部材が配置された側の端面の円周上に前記第１ローラー部材および前記第２ローラー部材側に突出する複数の突起部を備え、前記第１ローラー部材の回転軸方向の一端部には前記円板部材の突起部に接触する第１放射状突起を備え、前記第２ローラー部材の回転軸方向の端部のうち前記第１ローラー部材に放射状突起部を設けた側と反対側の端部には前記円板部材の突起部に接触する第２放射状突起を備えることを特徴とする。
本考案によれば、鉛筆送り機構を簡易な機構で構成でき、鉛筆の送りを確実に行うことができる。
【０００９】
同じく請求項４に記載の考案は、請求項２または請求項３に記載の鉛筆削り器において、前記鉛筆送り機構の前記第１ローラー部材および前記第２ローラー部材には、前記鉛筆挿入孔に挿入された前記鉛筆の外形に沿うくぼみ部を形成したことを特徴とする。
本考案によれば、鉛筆は前記第１ローラー部材および前記第２ローラー部材のくぼみ部の間に挟まれ、確実に送られる。
【００１０】
同じく請求項５に記載の考案は、請求項１から請求項４のいずれか一項に記載の鉛筆削り器において、前記芯長さ調整機構の前記駒位置変更機構は、前記操作ハンドルの回転軸に沿って配置され、回転操作できる調整つまみ部材と、前記駒部材および前記調整つまみ部材を前記操作ハンドルの回転軸方向の外側に向けて押し出す弾性部材とを備え、前記調整つまみ部材には、前記駒部材の前記鉛筆側とは反対側の端部に接触し、調整つまみ部材の回転動作により前記駒部材の位置を変えるカム部を備えることを特徴とする。
本考案によれば、鉛筆の芯長さの調整を調整つまみ部材の回転動作で容易に行うことができる。
【００１１】
同じく請求項６に記載の考案は、請求項５に記載の鉛筆削り器において、前記芯長さ調整機構の前記カム部は、前記駒部材の位置を、切削後の鉛筆の芯長さを最長から最短までの複数の位置に設定することを特徴とする。
本考案によれば、鉛筆の芯長さをあらかじめ定められた複数の長さから容易に選択できる。
【００１２】
同じく請求項７に記載の考案は、請求項５または請求項６に記載の鉛筆削り器において、前記折れ芯排出機構は、前記調整つまみの内側に配置され、前記操作ハンドルの回転軸に沿って移動可能に保持する駒部材を備えて構成することを特徴とする。
本考案によれば、調整つまみを操作して駒部材を保持部内で移動させるだけで、容易に折れ芯を排出できる。
【考案の効果】
【００１３】
本考案によれば、年少者でも安全かつ容易に操作できる手動の鉛筆削り器を提供することができる。
【図面の簡単な説明】
【００１４】
【図１】本考案の実施形態に係る鉛筆削り器の概略構造を示す断面図である。
【図２】同鉛筆削り器の切削部を示す斜視図である。
【図３】同切削部を示すものであり、（ａ）は平面図、（ｂ）は（ａ）中のＡ-Ａ線に相当する断面図である。
【図４】同鉛筆削り器の鉛筆送り機構の構成を示すものであり、（ａ）は側面図に相当する模式図、（ｂ）は（ａ）中のＤ方向から見た模式図、（ｃ）は（ａ）中のＥ方向から見た模式図である。
【図５】同鉛筆削り器の芯長さ調整器機構に使用する駒部材を示すものであり、（ａ）は正面図、（ｂ）は平面図、（ｃ）は（ａ）中のＣ−Ｃ線に相当する断面図である。
【図６】同鉛筆削り器の芯長さ調整器機構に使用する調整つまみ部材を示すものであり、（ａ）は正面図、（ｂ）は平面図、（ｃ）はカム部を描いた正面図である。
【図７】同調整つまみ部材のカム筒を示すものであり、（ａ）はつまみ部材の断面図、（ｂ）はカム筒の展開図である。
【図８】同芯長さ調整機構のキャップ部材を示すものであり、（ａ）は正面図、（ｂ）は平面図、（ｃ）は（ｂ）中のＢ−Ｂ線に相当する断面図である。
【図９】同鉛筆削り器の動作を示すものであり、（ａ）、（ｂ）は芯長さの調整状態を示す模式図、（ｃ）は折れ芯排出状態を示す模式図である。
【考案を実施するための最良の形態】
【００１５】
本考案を実施するための形態（以下では単に実施形態と記載する）に係る鉛筆削り器について説明する。
【００１６】
まず、本考案の実施形態に係る鉛筆削り器の全体構成について説明する。図１は本考案の実施形態に係る鉛筆削り器の全体構造を示す断面図である。鉛筆削り器１００は、合成樹脂製のケース１１０を備える。ケース１１０の鉛筆挿入側面１１１（図１中左側面）には、鉛筆を挿入する鉛筆挿入孔１１２を開設している他、鉛筆の削りかすを溜める削りかす箱１１３を取り出し可能に配置している。また、ケース１１０の他面であるハンドル側面１１４（図１中右側面）には、操作ハンドル１２０を軸Ｏ−Ｏを中心として回転可能に配置している。さらに、ケース１１０内には、操作ハンドル１２０で駆動される鉛筆送り機構１３０および、同じく操作ハンドル１２０で駆動される切削機構である切削部１５０を配置している。
【００１７】
鉛筆送り機構１３０は、鉛筆Ｐを回転しないように保持するとともに、鉛筆Ｐを送る。すなわち、鉛筆送り機構１３０は、操作ハンドル１２０を所定方向に回転させたとき（ハンドル側面１１４側から見て時計回り：正方向に回転）、ケース１１０の鉛筆挿入孔１１２から挿入された鉛筆Ｐを切削部１５０側に送る。さらに、操作ハンドル１２０を反対方向に回転させたとき（ハンドル側面１１４側から見て反時計回り：逆方向に回転）、ケース１１０の鉛筆挿入孔１１２から挿入された鉛筆Ｐを鉛筆挿入孔１１２側に送る。
【００１８】
図２は同鉛筆削り器の切削部を示す斜視図、図３は同切削部を示すものであり、（ａ）は平面図、（ｂ）は（ａ）中のＡ-Ａ線に相当する断面図である。切削部１５０は、外周にらせん状刃（図示していない）を形成した回転切削刃１５１を備える。操作ハンドル１２０を正方向に回転させたとき、回転切削刃１５１は、鉛筆Ｐの先端の回りを軸Ｏ−Ｏを公転しつつ、軸Ｏ２−Ｏ２を中心に自転し鉛筆Ｐの先端を円すい状に切削する。一方、操作ハンドル１２０を逆方向に回転させたとき、回転切削刃１５１を逆方向に公転させつつ自転させる。このとき、鉛筆送り機構１３０が鉛筆Ｐを鉛筆挿入孔１１２方向に送る他、らせん刃が鉛筆Ｐに切削方向に接触しないため回転切削刃１５１は鉛筆Ｐを切削しない。
【００１９】
また、切削部１５０には、鉛筆挿入孔１１２から挿入された鉛筆Ｐの芯の長さを設定する芯長さ調整機構と、折れ芯を押し出す折れ芯排出機構とを備える。この実施形態では、芯長さ調整機構と、折れ芯排出機構とは、後述するように、芯調整機構１７０として一体に構成され配置されている。
【００２０】
切削部１５０には、操作ハンドル１２０の軸Ｏ−Ｏと同軸に配置される回転部１６０を備える。回転部１６０は、鉛筆Ｐが挿入される貫通孔１６４を備える筒部１６２と、この筒部１６２のハンドル側面１１４側に配置され、鉛筆Ｐ先端を配置する円すい形状のホルダー部１６１と、ホルダー部１６１、筒部１６２、接続部１６３を操作ハンドル１２０で回転可能に保持する保持部１６６とを備える。ホルダー部１６１の側面には、回転切削刃１５１に臨んで開口部１６５が形成され、回転切削刃１５１で鉛筆Ｐを切削できるようになっている。また、筒部１６２の鉛筆挿入側面１１１側には、鉛筆送り機構１３０に接続されて操作ハンドル１２０の回転を伝える接続部１６３を形成している。
【００２１】
回転切削刃１５１は、図２および図３に示すように、その軸Ｏ２−Ｏ２を操作ハンドル１２０の軸Ｏ−Ｏに対してねじれの位置に配置されており、鉛筆挿入側面１１１側の端部には、歯車１５２を形成している。この歯車１５２は、ケース１１０のハンドル側面１１４側に配置された内歯歯車１５３にかみ合って遊星歯車機構を構成する。このため、操作ハンドル１２０を正方向に回転させると、回転切削刃１５１は、ホルダー部１６１とともに軸Ｏ−Ｏを中心に公転しつつ軸Ｏ２−Ｏ２を中心に自転し、ホルダー部１６１の開口部１６５から露出した鉛筆の先端部を、らせん歯で円すい形に切削する。
【００２２】
次に鉛筆送り機構１３０について説明する。図４は同鉛筆削り器の鉛筆送り機構の構成を示すものであり、（ａ）は側面図に相当する模式図、（ｂ）は（ａ）中のＤ方向から見た模式図、（ｃ）は（ａ）中のＥ方向から見た模式図である。
【００２３】
鉛筆送り機構１３０は、ケース１１０内部の鉛筆挿入側面１１１側に配置されている。鉛筆送り機構１３０は、回転部１６０の接続部１６３に連結されて回転駆動される円板部材１３１と、円板部材１３１と鉛筆挿入側面１１１との間に配置された２つのローラー部材、すなわち第１ローラー部材１４０Ａ、および第２ローラー部材１４０Ｂを備える。第１ローラー部材１４０Ａは、ケース１１０の内側に固定された軸受部材１３５（図１参照）に軸ＯＡ−ＯＡを中心に回転自在に保持されている。同様に、第２ローラー部材１４０Ｂは、軸受部材１３５に保持され軸ＯＢ−ＯＢを中心に回転自在に保持されている。軸ＯＡ−ＯＡおよび軸ＯＢ−ＯＢは、鉛直方向に沿って両者が平行になるように配置され、操作ハンドル１２０の軸Ｏ−Ｏを挟む。
【００２４】
すなわち、第１ローラー部材１４０Ａおよび第２ローラー部材１４０Ｂは、鉛筆挿入孔１１２から挿入された鉛筆Ｐに接触するべく、鉛筆挿入孔に貫通配置した鉛筆を挟んで所定距離だけ離間して鉛直方向に沿って平行に配置される。
【００２５】
円板部材１３１は、その中心に回転部１６０の接続部１６３が挿入されて接続される接続孔１３３が開設されている。これにより、円板部材１３１は、操作ハンドル１２０の正方向に回転および逆方向に回転で正方向および逆方向に回転する。この接続孔１３３は、鉛筆挿入孔１１２から挿入された鉛筆Ｐが貫通するものであり、鉛筆貫通孔としての役割を果たす。
【００２６】
円板部材１３１の鉛筆挿入側面１１１側面の円周上には、第１ローラー部材１４０Ａおよび第２ローラー部材１４０Ｂ側に突出する複数、この例では４つの突起部１３２を形成している。なお、突起部１３２が配置される円周は、円板部材１３１の軸を中心とする。
【００２７】
第１ローラー部材１４０Ａは、円筒状部材１４１Ａの鉛筆挿入孔１１２に相当する箇所に上下の中央位置にくぼみ部１４２Ａを備えるとともに、円筒状部材１４１Ａの一端である下端に円板部材１３１の突起部１３２に接触する第１放射状突起１４３Ａを備える。また、この第１放射状突起１４３Ａには、円板部材１３１が回転駆動されたとき、突起部１３２が接触する例えば８枚の羽根部材１４４Ａが放射状に形成される。また、第１放射状突起１４３Ａの下端には、軸受部材１３５に保持される軸部１４５Ａを形成している。さらに、円筒状部材１４１Ａの他端である上端には、円筒状の延長部１４６Ａと、軸部１４７Ａを形成している。
【００２８】
第２ローラー部材１４０Ｂは、第１ローラー部材１４０Ａを上下反対に配置したものに相当する。すなわち第２ローラー部材１４０Ｂは、円筒状部材１４１Ｂの鉛筆挿入孔１１２に相当する箇所に上下の中央位置にくぼみ部１４２Ｂを備えるとともに、円筒状部材１４１Ｂの一端である上端に円板部材１３１の突起部１３２に接触する第２放射状突起１４３Ｂを備える。また、この第２放射状突起１４３Ｂには、円板部材１３１が回転駆動されたとき、突起部１３２が接触する例えば８枚の羽根部材１４４Ｂが放射状に形成される。また、第２放射状突起１４３Ｂの上端には、軸受部材１３５に保持される軸部１４５Ｂを形成している。さらに、円筒状部材１４１Ｂの他端である下端には、円筒状の延長部１４６Ｂと、軸部１４７Ｂを形成している。なお、羽根部材１４４Ｂ、１４４Ｂの枚数は、１０枚とする等適宜変更できる。
【００２９】
このように構成した鉛筆送り機構１３０では、第１ローラー部材１４０Ａと第２ローラー部材１４０Ｂの両くぼみ部１４２Ａ、１４２Ｂの間に、鉛筆Ｐを保持して（図４（ｂ）参照）、鉛筆挿入孔１１２から挿入された鉛筆Ｐを回転しないように固定する。また、円板部材１３１が操作ハンドル１２０により正方向に回転（図４中実線の矢印）したとき鉛筆Ｐを回転切削刃１５１に向けて送る（同実線の矢印）。一方、円板部材１３１を逆方向に回転したとき（同破線の矢印）、鉛筆挿入孔１１２から挿入された鉛筆Ｐを鉛筆挿入孔１１２に向けて送る（同破線の矢印）。
【００３０】
従って、実施形態に係る鉛筆削り器１００では、鉛筆Ｐを切削するに際して、鉛筆Ｐを鉛筆挿入孔１１２から挿入し、操作ハンドル１２０を正方向に回転すると、鉛筆送り機構１３０の第１ローラー部材１４０Ａおよび第２ローラー部材１４０Ｂで鉛筆Ｐを回転しないように保持しつつ、鉛筆Ｐを回転切削刃１５１で切削する方向に送ることができる。このとき、鉛筆Ｐはその周面で、第１ローラー部材１４０Ａのくぼみ部１４２Ａ、および第２ローラー部材１４０Ｂのくぼみ部１４２Ｂに保持され、確実に回転が防止される。さらに、操作ハンドル１２０の正方向に回転で送られる。
【００３１】
そして、鉛筆Ｐを削り終え、鉛筆Ｐを鉛筆削り器１００から抜くときには、操作ハンドル１２０を逆方向に回転させると、鉛筆Ｐは鉛筆送り機構１３０で鉛筆挿入孔１１２から押し出され、鉛筆Ｐを容易に鉛筆削り器１００から取り出すことができる。それ故、ケースの外部に配置され、手指を挟むおそれがある鉛筆送り装置を省略でき安全性を向上できる。
【００３２】
次に芯長さ調整機構、および折れ芯除去機構について説明する。本考案の実施形態に係る鉛筆削り器１００では、芯長さ調整機構および折れ芯排出機構は、両者の機能を備えた芯調整機構１７０として配置される。
【００３３】
芯調整機構１７０は、ホルダー部１６１に配置された鉛筆の先端に接触して鉛筆Ｐの位置を決定する駒部材１７１と、この駒部材１７１を操作ハンドル１２０の回転軸の外側に向けて押し付けるスプリング部材１７２と、内部に駒部材１７１の位置を設定するカム筒１８３を形成した調整つまみ部材１８０と、この調整つまみ部材１８０を操作ハンドルに回転自在に保持するキャップ部材１９０とを備えて構成される。ここで、スプリング部材１７２、調整つまみ部材１８０およびキャップ部材１９０は駒位置調整機構を構成する。
【００３４】
芯調整機構１７０では、調整つまみ部材１８０は、操作ハンドル１２０の軸Ｏ−Ｏより上側の軸Ｏ１−Ｏ１を中心に回転可能に取り付けられており、調整つまみ部材１８０をキャップ部材１９０と一体として回転させることにより、駒部材１７１の位置を移動して、切削される芯の長さと尖り状態を調整する。また芯調整機構１７０は、カム筒１８３を備える調整つまみ部材１８０を鉛筆挿入孔１１２側に押し込むことにより、駒部材１７１を送り、折れ芯を排出する。
【００３５】
まず駒部材１７１について説明する。図５は同鉛筆削り器の芯長さ調整器機構に使用する駒部材を示すものであり、（ａ）は正面図、（ｂ）は平面図、（ｃ）は（ａ）中のＣ−Ｃ線に相当する断面図である。駒部材１７１は、位置決め面１７１ａと、カム接触部１７１ｂと、鍔部１７１ｃと、弾性爪部１７１ｄとを備える棒状部材である。位置決め面１７１ａは、一方側面である鉛筆挿入側面１１１側に配置され、切削された鉛筆Ｐの芯に接触して鉛筆Ｐの回転切削刃１５１に対する位置を決定する。カム接触部１７１ｂは、調整つまみ部材１８０のカム筒１８３に接触する。鍔部１７１ｃは、駒部材１７１の周囲に配置され、駒部材１７１をハンドル側面１１４側に押し付けるスプリング部材１７２が接触する。弾性爪部１７１ｄは、保持部１６６の長孔１６６ａに配置され駒部材１７１の移動範囲を制限する（図３（ｂ）参照）。
【００３６】
次に、調整つまみ部材１８０について説明する。図６は同鉛筆削り器の調整つまみ部材を示すものであり、（ａ）は正面図、（ｂ）は平面図、（ｃ）はカム部を描いた正面図、図７は同調整つまみ部材のカム筒を示すものであり、（ａ）はカム筒の展開図、（ｂ）はつまみ部材の断面図である。
【００３７】
調整つまみ部材１８０は、大径の基部１８１と、この基部１８１より小径のつまみ部１８２から構成されている。また、基部１８１の内側は、中空に構成され、内部に端面をカム面とするカム筒１８３を備えている。また、基部１８１には、幅寸法が異なる２本の溝部１８４、１８５が形成されている。この溝部１８４、１８５はキャップ部材１９０に対して調整つまみ部材１８０を軸Ｏ１−Ｏ１に沿ってスライド可能でかつ回転不能に保持するために設けられる。
【００３８】
カム筒１８３は、図７（ｂ）に示すように、一周（３６０°）でその高さをｈ１、ｈ２、ｈ３、ｈ４、ｈ５の５段階に変化させるものである。調整つまみ部材１８０を軸Ｏ１−Ｏ１で回転させることにより、スプリング部材１７２でカム筒１８３側に押し付けられている駒部材１７１の位置が変更される。
【００３９】
次にキャップ部材１９０について説明する。図８は同芯長さ調整機構のキャップ部材を示すものであり、（ａ）は正面図、（ｂ）は平面図、（ｃ）は（ｂ）中のＢ−Ｂ線に相当する断面図である。キャップ部材１９０は、内部に調整つまみ部材１８０を配置する筒状の保持部１９１と、調整つまみ部材１８０の基部１８１に接触して調整つまみ部材１８０がハンドル側面１１４側に外れるのを防止する張り出し部１９２とを備える。また、保持部１９１の外周には滑り止め用のローレット刻み部１９３を形成する他、保持部１９１の内部には調整つまみ部材１８０の溝部１８４、１８５に入り込む幅寸法が異なる凸部１９４、１９５を形成している。
【００４０】
そして、キャップ部材１９０は、操作ハンドル１２０に回転可能に取り付けられ、その内部に調整つまみ部材１８０を回転できない状態かつ軸Ｏ１−Ｏ１に沿ってスライド可能に保持する。このため、調整つまみ部材１８０はキャップ部材１９０と一体となって軸Ｏ１−Ｏ１を中心として回転できる。また調整つまみ部材１８０は、キャップ部材１９０内で軸Ｏ１−Ｏ１に沿って鉛筆挿入側面１１１側にスライドできる。
【００４１】
また、キャップ部材１９０の外周に駒部材１７１が接触しているカム筒１８３の高さｈ１〜ｈ５の状態を数字「１」〜「５」を記載し、キャップ部材１９０の外周を覆うカバー部材２００の穴部２１０（図３参照）から表示することで、切削される芯長さを表示することができる。
【００４２】
次に芯調整機構１７０の動作について説明する。図９は同鉛筆削り器の動作を示すものであり、（ａ）、（ｂ）は芯長さの調整状態を示す模式図、（ｃ）は折れ芯排出状態を示す模式図である。芯調整機構１７０で切削する鉛筆Ｐの芯長さを調整するには、キャップ部材１９０を調整つまみ部材１８０と一体に回転して、駒部材１７１のカム接触部１７１ｂが接触するカム筒１８３の位置を変更する。
【００４３】
芯を長く尖らせて切削するときには、調整つまみ部材１８０をキャップ部材１９０と一体として回転させ、カム筒１８３が駒部材１７１に高さｈ５（図７（ｂ））の位置で接触するようにする。すると、駒部材１７１は、図９（ａ）に示すように、スプリング部材１７２で押し付けられてハンドル側面１１４側に移動する。この状態でカバー部材２００の穴部２１０には、数字「５」が表示される。
【００４４】
そして、操作ハンドル１２０を正方向に回転させると、鉛筆Ｐは鉛筆送り機構１３０でハンドル側面１１４側に押し付けられ、回転切削刃１５１で切削される。このとき、鉛筆Ｐの芯は、長く尖った状態となって駒部材１７１の位置決め面１７１ａに接触する。このため、鉛筆Ｐの芯を長く尖った状態に切削できる。
【００４５】
一方、芯を短く尖らせないで切削するときには、調整つまみ部材１８０を回転させ、カム筒１８３が駒部材１７１に高さｈ１（図７（ｂ））の位置で接触するようにする。すると、駒部材１７１は、図９（ｂ）に示すように、スプリング部材１７２で押し付けられつつ鉛筆挿入側面１１１側に移動する。この状態でカバー部材２００の穴部２１０には、数字「１」が表示される。
【００４６】
そして、操作ハンドル１２０を正方向に回転させると、鉛筆Ｐは鉛筆送り機構１３０でハンドル側面１１４側に押し付けられ、回転切削刃１５１で切削される。このとき、鉛筆Ｐの芯は、短く尖らない状態で駒部材１７１の位置決め面１７１ａに接触して切削ができなくなる。このため、鉛筆Ｐの芯を短く尖らない状態に切削できる。
【００４７】
同様に、調整つまみ部材１８０を回転して、位置決め面１７１ａがカム筒１８３の高さｈ２、ｈ３、ｈ４の箇所に接触するようにすれば、駒部材１７１の位置が変更され、鉛筆Ｐの芯の長さと尖り状態を所望のものとすることができる。なお、図７（ｂ）にはカム筒の各高さｈ１〜ｈ５に対応して鉛筆の切削状態を示した。
【００４８】
さらに、鉛筆Ｐの芯が折れたときには、調整つまみ部材１８０を鉛筆挿入側面１１１側に押す。すると、図９（ｃ）に示すように、調整つまみ部材１８０はキャップ部材１９０内を鉛筆挿入側面１１１側に移動し、カム筒１８３に接触している駒部材１７１をスプリング部材１７２に抗して鉛筆挿入側面１１１側に送り、ホルダー部１６１内に残留している折れ芯Ｌを押し出す。
【００４９】
以上説明したように、実施形態に係る鉛筆削り器１００によれば、鉛筆を切削するとき、手指を挟む機構を備えないようにすることや、削った鉛筆が尖りすぎないよう芯の長さを調整できるようにすること、さらには鉛筆削り器の内部の折れ芯の除去を行う際、切削刃を取り出す必要がない構成を備え、年少者であっても、安全かつ容易に操作できる。
【符号の説明】
【００５０】
１００：鉛筆削り器
１１０：ケース
１１１：鉛筆挿入側面
１１２：鉛筆挿入孔
１１３：削りかす箱
１１４：ハンドル側面
１２０：操作ハンドル
１３０：鉛筆送り機構
１３１：円板部材
１３２：突起部
１３３：接続孔
１３５：軸受部材
１４０Ａ：第１ローラー部材
１４０Ｂ：第２ローラー部材
１４１Ａ：円筒状部材
１４１Ｂ：円筒状部材
１４２Ａ：くぼみ部
１４２Ｂ：くぼみ部
１４３Ａ：第１放射状突起
１４３Ｂ：第２放射状突起
１４４Ａ：羽根部材
１４４Ｂ：羽根部材
１４５Ａ：軸部
１４５Ｂ：軸部
１４６Ａ：延長部
１４６Ｂ：延長部
１４７Ａ：軸部
１４７Ｂ：軸部
１５０：切削部
１５１：回転切削刃
１５２：歯車
１５３：内歯歯車
１６０：回転部
１６１：ホルダー部
１６２：筒部
１６３：接続部
１６４：貫通孔
１６５：開口部
１６６：保持部
１６６ａ：長孔
１７０：芯調整機構（芯長さ調整機構、折れ芯排出機構）
１７１：駒部材
１７１ａ：位置決め面
１７１ｂ：カム接触部
１７１ｃ：鍔部
１７１ｄ：弾性爪部
１７２：スプリング部材
１８０：調整つまみ部材
１８１：基部
１８２：つまみ部
１８３：カム筒（カム部）
１８４、１８５：溝部
１９０：キャップ部材
１９１：保持部
１９２：張り出し部
１９３：ローレット刻み部
１９４、１９５：凸部
２００：カバー部材
２１０：穴部
Ｌ：芯
Ｐ：鉛筆
【図１】
0003180992.tif 000003
【図２】
0003180992.tif 000004
【図３】
0003180992.tif 000005
【図４】
0003180992.tif 000006
【図５】
0003180992.tif 000007
【図６】
0003180992.tif 000008
【図７】
0003180992.tif 000009
【図８】
0003180992.tif 000010
【図９】
0003180992.tif 000011